(57)【要約】【課題】遠隔監視センターを用いることなく、単独で料金優先の制御を行うことのできる空気調和システムを提供する。【解決手段】コントローラ制御部２１は、冷暖房負荷率に対する必要馬力を算出し、冷暖房負荷率ごとに算出した必要馬力をＧＨＰ室外ユニット１１およびＥＨＰ室外ユニット１２に割り当て、割り当てられた運転時における料金を、ＧＨＰ室外ユニット１１およびＥＨＰ室外ユニット１２の馬力ごとの料金単価に基づいて算出し、この料金を、ＧＨＰ室外ユニット１１およびＥＨＰ室外ユニット１２の運転割り当ての組み合わせ、冷暖房負荷率、外気温、冷房運転または暖房運転のすべてのパターンについて算出し、各パターンについて、最も料金が安くなる組み合わせをＧＨＰ室外ユニット１１およびＥＨＰ室外ユニット１２の馬力の上限値として採用する。【選択図】図１
2020034215.tif 000002
【特許請求の範囲】
【請求項１】
エンジンで駆動されるＧＨＰ圧縮機を備えたＧＨＰ室外ユニットと、商用電源で駆動される圧縮機を備えたＥＨＰ室外ユニットとをユニット間配管を介して室内ユニットにそれぞれ接続し、前記ＧＨＰ室外ユニットおよび前記ＥＨＰ室外ユニットを運転して前記室内ユニットにより室内の空調を行う空気調和システムにおいて、
前記ＧＨＰ室外ユニットを制御するＧＨＰ制御部と、前記ＥＨＰ室外ユニットを制御するＥＨＰ制御部と、前記ＧＨＰ制御部および前記ＥＨＰ制御部に制御指示信号を送信するコントローラ制御部とを備え、
前記コントローラ制御部は、
冷暖房負荷率に対する必要馬力を算出し、
冷暖房負荷率ごとに算出した必要馬力を前記ＧＨＰ室外ユニットおよび前記ＥＨＰ室外ユニットに割り当て、
割り当てられた運転時における料金を、前記ＧＨＰ室外ユニットおよび前記ＥＨＰ室外ユニットの馬力ごとの料金単価に基づいて算出し、
この料金を、前記ＧＨＰ室外ユニットおよび前記ＥＨＰ室外ユニットの運転割り当ての組み合わせ、冷暖房負荷率、外気温、冷房運転または暖房運転のすべてのパターンについて算出し、
各パターンについて、最も料金が安くなる組み合わせを前記ＧＨＰ室外ユニットおよび前記ＥＨＰ室外ユニットの馬力の上限値として採用することを特徴とする空気調和システム。
【請求項２】
前記コントローラ制御部は、最も料金が安くなる組み合わせとして採用された前記ＧＨＰ室外ユニットの馬力の上限値と、前記ＥＨＰ室外ユニットの馬力の上限値を採用した上限マップを作成しておくことを特徴とする請求項１に記載の空気調和システム。
【請求項３】
前記コントローラ制御部は、作成された上限マップに基づいて、馬力の上限値を前記ＧＨＰ制御部および前記ＥＨＰ制御部の少なくとも１つに送信し、前記ＧＨＰ制御部および前記ＥＨＰ制御部は、馬力の上限値に基づいて制御を行うことを特徴とする請求項２に記載の空気調和システム。
【発明の詳細な説明】
【技術分野】
【０００１】
本発明は、空気調和システムに係り、特に、ＧＨＰ室外ユニットとＥＨＰ室外ユニットとを併用する空気調和システムに関する。
【背景技術】
【０００２】
一般に、ガスエンジンなどにより駆動される圧縮機が搭載されたＧＨＰ室外ユニットと、電気により駆動される圧縮機が搭載されたＥＨＰ室外ユニットとを用いて、室内ユニットによる空調を行う空気調和システムが知られている。
このような空気調和システムとして、従来、例えば、１または複数の空気調和装置を含んで構成される複数のグループと、各グループそれぞれと通信を行うホスト制御装置とを備え、ホスト制御装置が、複数のグループそれぞれのエネルギーの使用条件を取得し、取得したエネルギーの使用条件に基づいて、各グループの稼動比率の推奨値の推算、および、各グループにおける推奨のエネルギー供給源の選定のいずれか一方または双方を実行するようにした技術が開示されている（例えば、特許文献１参照）。
【先行技術文献】
【特許文献】
【０００３】
【特許文献１】特開２０１５−１３２４１１号公報
【発明の概要】
【発明が解決しようとする課題】
【０００４】
しかしながら、前記従来の技術においては、ＧＨＰ室外ユニットおよびＥＨＰ室外ユニットの制御は、通常、遠隔監視センターからの制御指示に基づいて行われていた。
例えば、ＧＨＰ室外ユニットの運転を行うにはガスが必要であり、ＥＨＰ室外ユニットの運転を行うには電気が必要である。この場合に、遠隔監視センターは、ＧＨＰ室外ユニットを運転するためのガス料金、ＥＨＰ室外ユニットを運転するための電気料金が安くなるように料金を優先した制御指示信号を、ＧＨＰ室外ユニットおよびＥＨＰ室外ユニットに送信するようにしていた。
そのため、遠隔監視センターが存在しない場所では、遠隔監視センターによる料金優先制御を行うことができないため、遠隔監視センターが存在しない場所において、空気調和システムを単独で料金優先制御するシステムが必要となる。
本発明は、前記した点に鑑みてなされたものであり、遠隔監視センターを用いることなく、単独で料金優先の制御を行うことのできる空気調和システムを提供することを目的とする。
【課題を解決するための手段】
【０００５】
前記目的を達成するため、本発明は、エンジンで駆動されるＧＨＰ圧縮機を備えたＧＨＰ室外ユニットと、商用電源で駆動される圧縮機を備えたＥＨＰ室外ユニットとをユニット間配管を介して室内ユニットにそれぞれ接続し、前記ＧＨＰ室外ユニットおよび前記ＥＨＰ室外ユニットを運転して前記室内ユニットにより室内の空調を行う空気調和システムにおいて、前記ＧＨＰ室外ユニットを制御するＧＨＰ制御部と、前記ＥＨＰ室外ユニットを制御するＥＨＰ制御部と、前記ＧＨＰ制御部および前記ＥＨＰ制御部に制御指示信号を送信するコントローラ制御部とを備え、前記コントローラ制御部は、冷暖房負荷率に対する必要馬力を算出し、冷暖房負荷率ごとに算出した必要馬力を前記ＧＨＰ室外ユニットおよび前記ＥＨＰ室外ユニットに割り当て、割り当てられた運転時における料金を、前記ＧＨＰ室外ユニットおよび前記ＥＨＰ室外ユニットの馬力ごとの料金単価に基づいて算出し、この料金を、前記ＧＨＰ室外ユニットおよび前記ＥＨＰ室外ユニットの運転割り当ての組み合わせ、冷暖房負荷率、外気温、冷房運転または暖房運転のすべてのパターンについて算出し、各パターンについて、最も料金が安くなる組み合わせを前記ＧＨＰ室外ユニットおよび前記ＥＨＰ室外ユニットの馬力の上限値として採用することを特徴とする。
【０００６】
これによれば、コントローラ制御部により、料金が安くなる料金優先による制御を行う際の、ＧＨＰ室外ユニットおよびＥＨＰ室外ユニットの馬力の上限値を設定することができるので、この馬力の上限値にしたがった運転を行うことにより、ＧＨＰ室外ユニットおよびＥＨＰ室外ユニットについて、料金優先の制御を行うことができる。
【発明の効果】
【０００７】
本発明の空気調和システムによれば、コントローラ制御部により、馬力の上限値にしたがった運転を行うことにより、遠隔監視センターが存在しない場所であっつても、空気調和システム単独で、ＧＨＰ室外ユニットおよびＥＨＰ室外ユニットについて、料金優先の制御を行うことができる。
【図面の簡単な説明】
【０００８】
【図１】本発明の実施の形態に係る空気調和システムの構成図
【図２】空気調和システムの機能的構成を示すブロック図
【図３】ＧＨＰ室外ユニットの馬力とガス消費量との相関関係を示す表
【図４】ＧＨＰ室外ユニットの馬力とガス消費量との相関関係を示すグラフ
【図５】ＥＨＰ室外ユニットの馬力と消費電力との相関関係を示す表
【図６】ＥＨＰ室外ユニットの馬力と消費電力との相関関係を示すグラフ
【図７】冷暖房負荷率に対して必要馬力を割り当てた例を示す表
【図８】冷暖房負荷率に対して必要馬力を割り当てた他の例を示す表
【図９】室外ユニットに割り当てられた運転時の料金の算出結果を示す図
【図１０】画面表示部のメニュー画面を示す説明図
【図１１】画面表示部の制御モード設定画面を示す説明図
【図１２】画面表示部の電気・ガス単価の設定画面を示す説明図
【図１３】画面表示部の上限値マップの確認画面を示す説明図
【発明を実施するための形態】
【０００９】
第１の発明は、エンジンで駆動されるＧＨＰ圧縮機を備えたＧＨＰ室外ユニットと、商用電源で駆動される圧縮機を備えたＥＨＰ室外ユニットとをユニット間配管を介して室内ユニットにそれぞれ接続し、前記ＧＨＰ室外ユニットおよび前記ＥＨＰ室外ユニットを運転して前記室内ユニットにより室内の空調を行う空気調和システムにおいて、前記ＧＨＰ室外ユニットを制御するＧＨＰ制御部と、前記ＥＨＰ室外ユニットを制御するＥＨＰ制御部と、前記ＧＨＰ制御部および前記ＥＨＰ制御部に制御指示信号を送信するコントローラ制御部とを備え、前記コントローラ制御部は、冷暖房負荷率に対する必要馬力を算出し、冷暖房負荷率ごとに算出した必要馬力を前記ＧＨＰ室外ユニットおよび前記ＥＨＰ室外ユニットに割り当て、割り当てられた運転時における料金を、前記ＧＨＰ室外ユニットおよび前記ＥＨＰ室外ユニットの馬力ごとの料金単価に基づいて算出し、この料金を、前記ＧＨＰ室外ユニットおよび前記ＥＨＰ室外ユニットの運転割り当ての組み合わせ、冷暖房負荷率、外気温、冷房運転または暖房運転のすべてのパターンについて算出し、各パターンについて、最も料金が安くなる組み合わせを前記ＧＨＰ室外ユニットおよび前記ＥＨＰ室外ユニットの馬力の上限値として採用する。
これによれば、コントローラ制御部により、料金が安くなる料金優先による制御を行う際の、ＧＨＰ室外ユニットおよびＥＨＰ室外ユニットの馬力の上限値を設定することができるので、この馬力の上限値にしたがった運転を行うことにより、ＧＨＰ室外ユニットおよびＥＨＰ室外ユニットについて、料金優先の制御を行うことができる。
【００１０】
第２の発明は、前記コントローラ制御部は、最も料金が安くなる組み合わせとして採用された前記ＧＨＰ室外ユニットの馬力の上限値と、前記ＥＨＰ室外ユニットの馬力の上限値を採用した上限マップを作成しておく。
これによれば、上限マップを作成しておくことで、コントローラ制御部は、冷暖房負荷率や外気温などの状況に応じて、上限マップの馬力の上限値を直ちに利用することができ、迅速かつ適正な料金優先制御を行うことができる。
【００１１】
第３の発明は、前記コントローラ制御部は、作成された上限マップに基づいて、馬力の上限値を前記ＧＨＰ制御部および前記ＥＨＰ制御部の少なくとも１つに送信し、前記ＧＨＰ制御部および前記ＥＨＰ制御部は、馬力の上限値に基づいて制御を行う。
これによれば、コントローラ制御部から送られる上限マップの馬力の上限値に基づいて、ＧＨＰ制御部は、ＧＨＰ室外ユニットを制御するとともに、ＥＨＰ制御部は、ＥＨＰ室外ユニットを制御するので、ＧＨＰ室外ユニットおよびＥＨＰ室外ユニットに対して料金優先による制御を行うことが可能となる。
【００１２】
以下、図面を参照して本発明の実施の形態について説明する。
図１は、本発明に係る空気調和システムの実施の形態を示す構成図である。
図１に示すように、空気調和システム１は、複数セット（本実施の形態においては、２セット）の空気調和装置１０を備えている。
これら空気調和装置１０は、それぞれガスエンジンで駆動される圧縮機（図示せず）を備えたＧＨＰ室外ユニット１１と、商用電源で駆動される圧縮機（図示せず）を備えたＥＨＰ室外ユニット１２と、複数の室内ユニット１３とを備えている。ＧＨＰ室外ユニット１１、ＥＨＰ室外ユニット１２および各室内ユニット１３は、冷媒を送るユニット間配管１４を介して接続され、これにより、空調運転を行うための冷凍サイクル回路が構成されている。
【００１３】
これら空気調和装置１０のＧＨＰ室外ユニット１１、ＥＨＰ室外ユニット１２および各室内ユニット１３は、信号線１５で接続されている。
また、各空気調和装置１０には、信号線１５を介してコントローラ２０が接続されている。
【００１４】
次に、本実施の形態の空気調和システム１の制御構成について説明する。図２は本実施の形態における制御構成を示すブロック図である。
図２に示すように、本実施の形態においては、コントローラ２０は、コントローラ制御部２１を備えている。コントローラ制御部２１は、例えば、ＣＰＵなどの演算処理回路からなり所定のプログラムを実行することにより所定の制御を行う処理部２２と、ＲＯＭ、ＲＡＭなどの記憶手段からなるデータ保存部２３と、を備えている。
【００１５】
コントローラ２０は、画面表示部２４を備えている。画面表示部２４は、例えば、タッチパネル式の液晶表示パネルで構成されており、画面表示部２４は、所定の表示を行うことができるとともに、画面表示部２４を操作することにより、所定の操作や情報入力を行うことができるように構成されている。
また、コントローラ２０は、通信インタフェース２５を備えている。
【００１６】
ＧＨＰ室外ユニット１１は、ＧＨＰ室外ユニット１１を制御するＧＨＰ制御部３１を備えている。ＥＨＰ室外ユニット１２は、ＥＨＰ室外ユニット１２を制御するＥＨＰ制御部３２を備えている。室内ユニット１３は、室内ユニット１３を制御する室内制御部３３を備えている。
コントローラ２０の通信インタフェース２５は、信号線１５を介して、ＧＨＰ制御部３１、ＥＨＰ制御部３２および室内制御部３３に順次接続されている。コントローラ制御部２１は、ＧＨＰ制御部３１、ＥＨＰ制御部３２および室内制御部３３を統括して制御するように構成されており、コントローラ制御部２１は、通信インタフェース２５を介して、所定の制御指示信号をＧＨＰ制御部３１、ＥＨＰ制御部３２および室内制御部３３に送信するように構成されている。
このとき、本実施の形態においては、ＧＨＰ制御部３１はマスター、ＥＨＰ制御部３２および室内制御部３３はスレイブに設定されており、コントローラ制御部２１からの制御指示信号は、最初にＧＨＰ制御部３１に送信され、この制御指示信号は、ＧＨＰ制御部３１からＥＨＰ制御部３２、室内制御部３３に順次送信されるように構成されている。
【００１７】
本実施の形態においては、コントローラ制御部２１の処理部２２は、ＧＨＰ室外ユニット１１およびＥＨＰ室外ユニット１２の能力特性表をもとに、馬力と消費電力／ガス消費量との相関近似式を算出する。本実施の形態においては、ＧＨＰ室外ユニット１１は２０馬力、ＥＨＰ室外ユニット１２は１０馬力の出力を有している場合を例に説明する。
図３は、ＧＨＰ室外ユニット１１の馬力とガス消費量との相関関係を示す表である。図４は、ＧＨＰ室外ユニット１１の馬力とガス消費量との相関関係を示すグラフである。図５は、ＥＨＰ室外ユニット１２の馬力と消費電力との相関関係を示す表である。図６は、ＥＨＰ室外ユニット１２の馬力と消費電力との相関関係を示すグラフである。
図３および図４に示すように、ＧＨＰ室外ユニット１１は、１０馬力から２０数馬力までの間でガス消費量とほぼ比例関係にあり、図５および図６に示すように、ＥＨＰ室外ユニット１２は、５馬力から１０数馬力までの間で消費電力とほぼ比例関係にある。
【００１８】
次に、コントローラ制御部２１の処理部２２は、冷暖房負荷率に対する必要馬力を冷暖房負荷率１０％ごとに算出する。
続いて、コントローラ制御部２１の処理部２２は、冷暖房負荷率ごとに算出した必要馬力をＧＨＰ室外ユニット１１およびＥＨＰ室外ユニット１２に割り当てる。
図７および図８は、冷暖房負荷率に対して必要馬力を割り当てた例を示す表である。
図７は、電力炭化が３０円、ガス単価が７円、外気温３５℃、冷房運転モード時における例を示している。
この場合には、ガス料金が安いためＧＨＰ室外ユニット１１を優先的に運転させるように、ＧＨＰ室外ユニット１１とＥＨＰ室外ユニット１２との運転の割り当てを行う。ただし、ＧＨＰ室外ユニット１１は、必要馬力が低馬力（例えば、１０馬力以下）の場合には、運転させないように制御される。ＧＨＰ室外ユニット１１は、比較的高馬力で運転する場合に有利であり、低馬力の場合は、ＥＨＰ室外ユニット１２を運転した方が効率がよいためである。
【００１９】
また、図８は、電力単価が７円、ガス単価が３０円、外気温３５℃、冷房運転モード時における例を示している。
この場合には、電気料金が安いためＥＨＰ室外ユニット１２を優先的に運転させるように、ＧＨＰ室外ユニット１１とＥＨＰ室外ユニット１２との運転の割り当てを行う。ただし、同様に、ＧＨＰ室外ユニット１１は、必要馬力が低馬力（例えば、１０馬力以下）の場合には、運転させないように制御される。
【００２０】
コントローラ制御部２１の処理部２２は、このようにＧＨＰ室外ユニット１１およびＥＨＰ室外ユニット１２に割り当てられた運転時における料金を、前述の図３から図６に示すＧＨＰ室外ユニット１１の馬力とガス消費量、ＥＨＰ室外ユニット１２の馬力と消費電力による馬力ごとの料金単価に基づいて、算出する。
コントローラ制御部２１の処理部２２は、この料金を、ＧＨＰ室外ユニット１１およびＥＨＰ室外ユニット１２の運転割り当ての組み合わせ、冷暖房負荷率、外気温、冷房運転モードまたは暖房運転モードのすべてのパターンについて算出する。
そして、コントローラ制御部２１の処理部２２は、各パターンについて、最も料金が安くなる組み合わせをＧＨＰ室外ユニット１１およびＥＨＰ室外ユニット１２の馬力の上限値として、採用する。
【００２１】
図９はＧＨＰ室外ユニット１１およびＥＨＰ室外ユニット１２に割り当てられた運転時における料金を算出した結果を示す図である。
図９は電力単価３０円、ガス単価７円、気温３５℃、冷房運転モード時、冷房負荷率７０％の時の算出結果の例を示している。
図９に示すように、冷房負荷率７０％の場合、ＧＨＰ室外ユニット１１が１００％、ＥＨＰ室外ユニット１２が５５％の組み合わせから、ＧＨＰ室外ユニット１１が９０％、ＥＨＰ室外ユニット１２が６０％の組み合わせ、ＧＨＰ室外ユニット１１が８０％、ＥＨＰ室外ユニット１２が６５％の組み合わせ、ＧＨＰ室外ユニット１１が７０％、ＥＨＰ室外ユニット１２が７０％の組み合わせ、ＧＨＰ室外ユニット１１が６０％、ＥＨＰ室外ユニット１２が７５％の組み合わせ、ＧＨＰ室外ユニット１１が５０％、ＥＨＰ室外ユニット１２が８０％の組み合わせ、ＧＨＰ室外ユニット１１が４０％、ＥＨＰ室外ユニット１２が８５％の組み合わせ、ＧＨＰ室外ユニット１１が３０％、ＥＨＰ室外ユニット１２が９０％の組み合わせ、ＧＨＰ室外ユニット１１が２０％、ＥＨＰ室外ユニット１２が９５％の組み合わせ、ＧＨＰ室外ユニット１１が１０％、ＥＨＰ室外ユニット１２が１００％の組み合わせのパターンを設定する。
そして、各組み合わせのパターンについて、ガス料金と電気料金とを加えた合計料金を算出した結果を、図９中棒グラフで示す。
この例によれば、ＧＨＰ室外ユニット１１が８０％、ＥＨＰ室外ユニット１２が５０％の上限の場合に最も料金が安くなることがわかる。
【００２２】
コントローラ制御部２１の処理部２２は、この最も料金が安くなる組み合わせをＧＨＰ室外ユニット１１およびＥＨＰ室外ユニット１２の馬力の上限値として採用する。
この作業をすべてのパターンの組み合わせについて行い、ＧＨＰ室外ユニット１１の馬力の上限値と、ＥＨＰ室外ユニット１２の馬力の上限値を採用した上限マップを作成しておく。上限マップは、データ保存部２３に保存される。
なお、この作業は、使用者がコントローラ２０により、ガス料金、電気料金を設定した時に行われる。
【００２３】
上限マップが作成できたら、コントローラ制御部２１は、運転状況に基づいて、馬力の上限値を通信インタフェース２５を介してＧＨＰ制御部３１に送信する。
ＧＨＰ制御部３１は、コントローラ制御部２１から送られた馬力の上限値に基づいて、ＧＨＰ室外ユニット１１の運転制御を行う。また、ＥＨＰ制御部３２は、コントローラ制御部２１からＧＨＰ制御部３１を介して送られる馬力の上限値に基づいて、ＥＨＰ室外ユニット１２の運転制御を行う。
これにより、最も料金が安くなる料金優先の制御を容易に行うことができる。
【００２４】
次に、コントローラ２０の画面表示部２４の表示例について説明する。
図１０は、画面表示部２４のメニュー画面を示す説明図である。図１１は、画面表示部２４の制御モード設定画面を示す説明図である。図１２は、画面表示部２４の電気・ガス単価の設定画面を示す説明図である。図１３は、画面表示部２４の上限値マップの確認画面を示す説明図である。
図１０に示すように、画面表示部２４のメニュー画面には、「基本設定」、「室外ユニット設定」、「室外機情報」、「料金設定」、「ガスデマンド設定」、「上限マップ確認」といった各種設定などを行うことができるキーアイコン４０が表示されている。
使用者が、例えば、「基本設定」キーアイコン４０を操作すると、図１１に示すように、画面表示部２４には、制御モードの設定画面が表示される。
【００２５】
制御モードの設定画面では、制御モードを「料金優先制御」、「エネルギー優先制御」、「ＥＨＰ優先制御」、「ＧＨＰ優先制御」のいずれかを選択することが可能となっている。図１１においては、「料金優先制御」を選択した状態を示している。
また、制御モードの設定画面では、デマンド設定を「設定なし」、「ＥＨＰデマンド」、「ＧＨＰデマンド」のいずれかを選択することが可能となっている。図１１においては、「設定なし」を選択した状態を示している。
なお、「ＥＨＰデマンド」を選択した場合は、ＥＨＰ室外ユニット１２による運転を抑えるように制御され、「ＧＨＰデマンド」を選択した場合は、ＧＨＰ室外ユニット１１による運転を抑えるように制御される。
【００２６】
図１０に示すメニュー画面において、「料金設定」を選択すると、画面表示部２４には、図１２に示す電気・ガス単価の設定画面が表示される。
電気・ガス単価の設定画面においては、電気料金およびガス料金を時間帯ごとに入力することが可能となっている。
図１２においては、開始時刻０：００からの「時間帯１」では、電力単価が３０円、ガス単価が７円と入力され、開始時刻８：００からの「時間帯２」では、電力単価が２０円、ガス単価が１０円と入力された場合の例を示している。
使用者が、電気・ガス単価を入力することで、コントローラ制御部２１は、前述の上限値の上限マップを、各時間帯における料金にしたがって、それぞれ作成する。
【００２７】
図１０に示すメニュー画面において、「上限マップ確認」を選択すると、画面表示部２４には、図１３に示す上限マップの確認画面が表示される。
図１３においては、図１２に示す時間帯１の料金に基づいて、冷房運転時、外気温２５℃におけるＧＨＰ室外ユニット１１およびＥＨＰ室外ユニット１２の馬力の上限値を冷房負荷率ごとに表示した例を示している。
このように、本実施の形態においては、使用者が、電気・ガス単価を入力するだけで、コントローラ制御部２１により、ＧＨＰ室外ユニット１１およびＥＨＰ室外ユニット１２の馬力の上限値を設定することが可能となる。
【００２８】
以上説明したように、本実施の形態においては、コントローラ制御部２１は、冷暖房負荷率に対する必要馬力を算出し、冷暖房負荷率ごとに算出した必要馬力をＧＨＰ室外ユニット１１およびＥＨＰ室外ユニット１２に割り当て、割り当てられた運転時における料金を、ＧＨＰ室外ユニット１１およびＥＨＰ室外ユニット１２の馬力ごとの料金単価に基づいて算出し、この料金を、ＧＨＰ室外ユニット１１およびＥＨＰ室外ユニット１２の運転割り当ての組み合わせ、冷暖房負荷率、外気温、冷房運転または暖房運転のすべてのパターンについて算出し、各パターンについて、最も料金が安くなる組み合わせをＧＨＰ室外ユニット１１およびＥＨＰ室外ユニット１２の馬力の上限値として採用する。
これによれば、コントローラ制御部２１により、料金が安くなる料金優先による制御を行う際の、ＧＨＰ室外ユニット１１およびＥＨＰ室外ユニット１２の馬力の上限値を設定することができるので、この馬力の上限値にしたがった運転を行うことにより、ＧＨＰ室外ユニット１１およびＥＨＰ室外ユニット１２について、料金優先の制御を行うことができる。
【００２９】
また、本実施の形態においては、コントローラ制御部２１は、最も料金が安くなる組み合わせとして採用されたＧＨＰ室外ユニット１１の馬力の上限値と、ＥＨＰ室外ユニット１２の馬力の上限値を採用した上限マップを作成しておく。
これによれば、上限マップを作成しておくことで、コントローラ制御部２１は、冷暖房負荷率や外気温などの状況に応じて、上限マップの馬力の上限値を直ちに利用することができ、迅速かつ適正な料金優先制御を行うことができる。
【００３０】
また、本実施の形態においては、コントローラ制御部２１は、作成された上限マップに基づいて、馬力の上限値をＧＨＰ制御部３１に送信し、ＧＨＰ制御部３１は、馬力の上限値に基づいて制御を行う。
これによれば、コントローラ制御部２１から送られる上限マップの馬力の上限値に基づいて、ＧＨＰ制御部３１は、ＧＨＰ室外ユニット１１を制御するとともに、ＧＨＰ制御部３１による指示に基づいて、ＥＨＰ制御部３２は、ＥＨＰ室外ユニット１２を制御するので、ＧＨＰ室外ユニット１１およびＥＨＰ室外ユニット１２に対して料金優先による制御を行うことが可能となる。
【００３１】
なお、前記実施の形態は本発明を適用した一態様を示すものであって、本発明は前記実施の形態に限定されるものではない。
前記実施の形態では、ＧＨＰ制御部３１をマスター、ＥＨＰ制御部３２をスレイブに設定した場合の例について説明したが、本発明はこれに限定されない。例えば、ＥＨＰ制御部３２をマスター、ＧＨＰ制御部３１をスレイブに設定し、コントローラ制御部２１からの制御指示信号を、最初にＥＨＰ制御部３２に送信し、ＥＨＰ制御部３２からＧＨＰ制御部３１に制御指示信号を送信するようにしてもよい。
また、マスター、スレイブの設定を行わず、ＧＨＰ制御部３１、ＥＨＰ制御部３２および室内制御部３３を並列にコントローラ制御部２１に接続し、コントローラ制御部２１からＧＨＰ制御部３１、ＥＨＰ制御部３２および室内制御部３３に個別に制御指示信号を送信するようにしてもよい。
【産業上の利用可能性】
【００３２】
以上のように、本発明に係る空気調和システムは、遠隔監視センターを利用することなく、コントローラ制御部により、ＧＨＰ室外ユニットおよびＥＨＰ室外ユニットについて、料金優先の制御を行うことができる空気調和システムとして好適に利用可能である。
【符号の説明】
【００３３】
１  空気調和システム
１０  空気調和装置
１１  ＧＨＰ室外ユニット
１２  ＥＨＰ室外ユニット
１３  室内ユニット
１４  ユニット間配管
１５  信号線
２０  コントローラ
２１  コントローラ制御部
２２  処理部
２３  データ保存部
２４  画面表示部
２５  通信インタフェース
３１  ＧＨＰ制御部
３２  ＥＨＰ制御部
３３  室内制御部
【図１】
2020034215.tif 000003
【図２】
2020034215.tif 000004
【図３】
2020034215.tif 000005
【図４】
2020034215.tif 000006
【図５】
2020034215.tif 000007
【図６】
2020034215.tif 000008
【図７】
2020034215.tif 000009
【図８】
2020034215.tif 000010
【図９】
2020034215.tif 000011
【図１０】
2020034215.tif 000012
【図１１】
2020034215.tif 000013
【図１２】
2020034215.tif 000014
【図１３】
2020034215.tif 000015